(57)【要約】【課題】組み立てやすい貯湯式給湯機を提供する。【解決手段】貯湯式給湯機は、保温材３と、筐体４と、電気部品箱８と、両面粘着テープ９と、を備える。保温材３は、発泡体である。保温材３は、貯湯タンク２の周囲に設けられる。筐体４は、貯湯タンク２および保温材３を収納する。電気部品箱８は、貯湯タンク２および筐体４の間に設けられる。電気部品箱８は、電気部品を収納する。両面粘着テープ９は、電気部品箱８を保温材３に固定する。【選択図】図３
2019184198.tif 000002
【特許請求の範囲】
【請求項１】
発泡体であり、貯湯タンクの周囲に設けられる保温材と、
前記貯湯タンクおよび前記保温材を収納する筐体と、
前記保温材と前記筐体との間に設けられ、電気部品を収納する電気部品箱と、
前記電気部品箱を前記保温材に固定する両面粘着テープと、
を備える貯湯式給湯機。
【請求項２】
前記保温材は、外面の一部に固定面を有し、
前記電気部品箱は、前記固定面に対向する取付面を外面の一部に有し、
前記両面粘着テープは、前記取付面を前記固定面に固定する請求項１に記載の貯湯式給湯機。
【請求項３】
前記両面粘着テープは、前記固定面および前記取付面の重なり合う部分から外部に露出しない請求項２に記載の貯湯式給湯機。
【請求項４】
前記固定面は、鏡面状に形成される請求項２または請求項３に記載の貯湯式給湯機。
【請求項５】
前記保温材は、前記筐体に向けて突出する凸部を有し、前記固定面は前記凸部の前記筐体に向けられた面に設けられる請求項２から請求項４のいずれか一項に記載の貯湯式給湯機。
【請求項６】
前記凸部の突出長さは、前記両面粘着テープでの前記電気部品箱の固定について予め定められた大きさの圧力による前記凸部の変位量より長い請求項５に記載の貯湯式給湯機。
【請求項７】
前記固定面は、前記筐体の内側面に平行に設けられる請求項２から請求項６のいずれか一項に記載の貯湯式給湯機。
【請求項８】
前記両面粘着テープの粘着面の法線は、前記電気部品箱の重心を通る請求項２から請求項７のいずれか一項に記載の貯湯式給湯機。
【請求項９】
前記保温材は、前記保温材の少なくとも一部に保護材を有し、
前記両面粘着テープは、前記保護材を介して前記電気部品箱を固定する請求項１から請求項８のいずれか一項に記載の貯湯式給湯機。
【請求項１０】
前記保温材または前記筐体の少なくとも一方に設けられ、前記電気部品箱を支持する支持部を備える請求項１から請求項９のいずれか一項に記載の貯湯式給湯機。
【発明の詳細な説明】
【技術分野】
【０００１】
本発明は、貯湯式給湯機に関する。
【背景技術】
【０００２】
特許文献１に貯湯式給湯機の例が記載されている。貯湯式給湯機において、電気部品箱は、発泡樹脂材である保温材にネジによって直接固定される。
【先行技術文献】
【特許文献】
【０００３】
【特許文献１】特開２０１６−２１７５６８号公報
【発明の概要】
【発明が解決しようとする課題】
【０００４】
しかしながら、特許文献１に記載の貯湯式給湯機において、ネジは、保温材を損傷する。よって、電気部品箱を一度取り付けた後に再度の調整が必要となった場合などに、電気部品箱は、取り付ける位置を変更することが難しい。このため、貯湯式給湯機は、組立許容誤差が制限される。したがって、貯湯式給湯機は、組立に熟練を要する。
【０００５】
本発明は、このような課題を解決するためになされた。本発明の目的は、組み立てやすい貯湯式給湯機を提供することである。
【課題を解決するための手段】
【０００６】
本発明に係る貯湯式給湯機は、発泡体であり、貯湯タンクの周囲に設けられる保温材と、貯湯タンクおよび保温材を収納する筐体と、貯湯タンクと筐体との間に設けられ、電気部品を収納する電気部品箱と、電気部品箱を保温材に固定する両面粘着テープと、を備える。
【発明の効果】
【０００７】
本発明によれば、貯湯式給湯機は、組み立てやすくなる。
【図面の簡単な説明】
【０００８】
【図１】実施の形態１に係る貯湯式給湯機の構成図である。
【図２】実施の形態１に係る貯湯式給湯機の斜視図である。
【図３】実施の形態１に係る貯湯式給湯機の要部断面図である。
【図４】実施の形態２に係る貯湯式給湯機の要部断面図である。
【図５】実施の形態３に係る貯湯式給湯機の前面図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係る貯湯式給湯機の構成図である。貯湯式給湯機は、貯湯タンクユニット１を備える。
【００１１】
貯湯式給湯機の運転において、図示されない加熱手段によって加熱された湯は、貯湯タンクユニット１に貯められる。加熱手段は、例えばヒートポンプである。貯湯タンクユニット１に貯められる湯は、図示されない給湯先に供給される。給湯先は、例えば浴槽、シャワーならびに台所または洗面所の蛇口である。
【００１２】
貯湯タンクユニット１は、貯湯タンク２と、保温材３と、筐体４と、貯湯タンク支持脚５と、貯湯タンクユニット支持脚６と、を備える。貯湯タンク２は、湯を貯めるタンクである。貯湯タンク２は、円柱状の形状である。貯湯タンク２の高さは、貯湯タンク２の直径より長い。保温材３は、発泡体である。保温材３は、例えば発泡ポリスチレンで構成される発泡性成形断熱材である。保温材３は、複数の部品により貯湯タンク２を覆うように構成される。保温材３は、貯湯タンク２の周囲に設けられる。筐体４は、直方体状の箱状の形状である。筐体４は、複数の外郭ケース板により構成される。複数の外郭ケース板の各々は、直方体状の筐体４の各々の面を構成する。複数の外郭ケース板の各々は、金属板で形成される。筐体４は、貯湯タンク２および保温材３を収納する。
【００１３】
貯湯タンク支持脚５は、貯湯タンク２の下端に設けられる。貯湯タンク支持脚５は、貯湯タンク２を筐体４の内部において支持する。貯湯タンクユニット支持脚６は、貯湯タンクユニット１の下面に設けられる。貯湯タンクユニット支持脚６は、貯湯タンクユニット１を設置面の上に支持する。
【００１４】
図２は、実施の形態１に係る貯湯式給湯機の斜視図である。図２において、筐体４を構成する複数の外郭ケース板のうち、前面、左側面および上面を構成する外郭ケース板は図示されない。貯湯タンクユニット１は、給湯機器７と、電気部品箱８と、を備える。
【００１５】
給湯機器７は、例えば、配管、混合弁および電磁弁などの弁類、流量センサおよび温度センサなどのセンサ類、ポンプなどの電動水機能部品ならびに熱交換器などを含む。給湯機器７は、保温材３の外側に、かつ、筐体４の内側に設けられる。
【００１６】
電気部品箱８は、電気部品を収納する。電気部品は、貯湯タンク２から給湯先に湯を供給するために給湯機器７の電動水機能部品を制御する素子を含む。電気部品箱８は、例えば平坦な直方体の箱状の形状である。電気部品箱８は、保温材３の外側に、かつ、筐体４の内側に設けられる。電気部品箱８は、例えば貯湯タンクユニット１の左下の前方に設けられる。
【００１７】
図３は、実施の形態１に係る貯湯式給湯機の要部断面図である。貯湯タンクユニット１は、両面粘着テープ９を備える。両面粘着テープ９は、矩形のテープ状の形状である。両面粘着テープ９は、両面に粘着面を有する。両面粘着テープ９は、粘着面によって、保温材３と電気部品箱８とを固定する。両面粘着テープ９の面積は、粘着面の接着強度と電気部品箱８の重量とに基づいて、電気部品箱８を支持しうる面積に構成される。
【００１８】
電気部品箱８は、外面の一面に取付面１０を有する。取付面１０は、電気部品箱８の外面のうち、面積の大きい平坦な面である。電気部品箱８は、開放面１１を有する。開放面１１は、取付面１０の反対側に設けられる。開放面１１は、前方に向けられる。電気部品箱８に収納される電気部品は、開放面１１から前方に突出しない。
【００１９】
筐体４の前面を構成する外郭ケース板の少なくとも一部を外した場合に、電気部品箱８に収納される電気部品は、開放面１１から操作されうるように配置される。電気部品の操作は、電源のＯＮおよびＯＦＦを含んでもよい。
【００２０】
保温材３は、凸部１２を有する。凸部１２は、保温材３の左下の前方に設けられる。凸部１２は、保温材３の側面から筐体４の内側の面に向けて前方に突出する。凸部１２は、固定面１３を有する。
【００２１】
固定面１３は、平坦な矩形の面である。固定面１３は、鏡面状に形成される。固定面１３は、凸部１２の前端に設けられる。固定面１３は、前方に向けられる。固定面１３は、取付面１０に対向する。固定面１３は、取付面１０より小さい。固定面１３の全体は、取付面１０と重なり合う。固定面１３の縦幅および横幅の各々は、両面粘着テープ９の縦幅および横幅の各々より長い。
【００２２】
両面粘着テープ９は、固定面１３と取付面１０との間の固定面１３からはみ出さない位置に設けられる。すなわち、両面粘着テープ９は、取付面１０と固定面１３とが重なりあう部分から外部に露出しない位置に設けられる。両面粘着テープ９は、電気部品箱８の重心Ｇの周りを支持する。両面粘着テープ９の粘着面の法線Ｎは、電気部品箱８の重心Ｇを通る。
【００２３】
凸部１２の突出長さは、凸部１２が保温材３の側面から突出する長さである。凸部１２の突出長さは、電気部品箱８が給湯機器７などの他の部品に干渉する長さより長い。凸部１２の突出長さは、接着圧力によって変形する凸部１２の変位量より長い。接着圧力は、両面粘着テープ９での電気部品箱８の固定について予め定められた大きさの圧力である。
【００２４】
両面粘着テープ９の粘着面および固定面１３の面積の各々は、接着圧力によって保温材３が損傷しないように十分大きい面積に構成される。当該面積は、試験によって測定される凸部１２にかかる圧力と変位量との関係に基づいて定められる。例えば、発泡スチロールは、一般的に５％のひずみを超える圧力がかけられる場合に、圧縮によるひずみが著しく増加する傾向がある。このため、保温材３が発泡スチロールである場合に、両面粘着テープ９の粘着面および固定面１３の面積は、接着圧力によるひずみが５％以下となるように構成される。
【００２５】
続いて、貯湯タンクユニット１の組立てにおける、電気部品箱８の取付けを説明する。作業者は、両面粘着テープ９を取付面１０および固定面１３の間においた状態で、電気部品箱８を保温材３の凸部１２に前方から押し付ける。両面粘着テープ９の粘着面の一方は、電気部品箱８の取付面１０に粘着する。両面粘着テープ９の粘着面の他方は、凸部１２の固定面１３に粘着する。凸部１２は、押し付けられることによって変形する。作業者は、凸部１２の変形の変位量を、例えば凸部１２の突出長さの変化によって測定する。作業者は、試験によって予め測定された凸部１２にかかる圧力と変位量との関係に基づいて、凸部１２の変位量から圧力を測定する。作業者は、測定された圧力が接着圧力から予め定められた許容誤差の範囲にあるかを確認する。電気部品箱８は、両面粘着テープ９によって保温材３に取り付けられる。
【００２６】
電気部品箱８を一度取り付けた後に、作業者のミスまたは他の部分の組立誤差などによって再度電気部品箱８の調整が必要となった場合に、作業者は、両面粘着テープ９をはがすことで電気部品箱８の位置の再度の調整を行う。
【００２７】
以上に説明したように、実施の形態１に係る貯湯式給湯機は、保温材３と、筐体４と、電気部品箱８と、両面粘着テープ９と、を備える。保温材３は、発泡体である。保温材３は、貯湯タンク２の周囲に設けられる。筐体４は、貯湯タンク２および保温材３を収納する。電気部品箱８は、貯湯タンク２と筐体４との間に設けられる。電気部品箱８は、電気部品を収納する。両面粘着テープ９は、電気部品箱８を保温材３に固定する。
【００２８】
ネジによって電気部品箱８を保温材３に直接固定する場合に、ネジを挿入する角度が組立誤差の要因となりうる。ここで、ネジは挿入によって保温材３を損傷する。このため、同じ位置に再度正しい角度で挿入することが難しい。一方、両面粘着テープ９によって電気部品箱８を保温材３に直接固定する場合に、挿入角度が誤差要因となりうるネジは、電気部品箱８の保温材３への固定に必要とされない。このため、保温材３は、ネジの挿入による損傷がない。したがって、電気部品箱８の取付けに誤差が生じたとしても、貯湯タンクユニット１の組立てにおける仕掛損失は抑えられる。
【００２９】
電気部品箱８は、保温材３の損傷を伴わずに、保温材３に直接固定される。電気部品箱８を一度取り付けた後でも、作業者は、両面粘着テープ９をはがすことで再度の位置の調整を容易に行うことができる。これにより、貯湯タンクユニット１は、組立許容誤差が制限されない。このため、電気部品箱８の取り付け作業において、貯湯タンクユニット１は、組立作業者の熟練を必要としない。したがって、貯湯タンクユニット１は、組立てやすい。また、保温材３は、取付けにともなう損傷による強度の低下がない。このため、保温材３に用いる材料の自由度が高まる。
【００３０】
また、保温材３は、外面の一部に固定面１３を有する。電気部品箱８は、固定面１３に対向する取付面１０を外面の一部に有する。両面粘着テープ９は、取付面１０を固定面１３に固定する。電気部品箱８の並進移動および回転移動は、一箇所の取付面１０の固定により抑制される。このため、保温材３は、電気部品箱８の固定のための部分を複数必要としない。これにより、保温材３の材料使用量が抑えられる。また、作業者は、電気部品箱８を固定する工程を複数おこなう必要がない。このため、貯湯タンクユニット１の組立における工程数が抑えられる。
【００３１】
また、両面粘着テープ９は、固定面１３および取付面１０の重なり合う部分から外部に露出しない。これにより、組立時に用いる検査溶液などの液体またはごみが両面粘着テープ９の粘着面に付着することが予防される。このため、両面粘着テープ９の接着強度の低下が抑えられる。
【００３２】
また、固定面１３は、鏡面状に形成される。これにより、両面粘着テープ９をはがす場合に、保温材３の損傷を抑えられる。
【００３３】
また、保温材３は、筐体４に向けて突出する凸部１２を有する。固定面１３は、凸部１２の筐体４に向けられた面に設けられる。電気部品箱８は、筐体４に向けられる。このため、筐体４の一部を外すことによって電気部品箱８が露出する。これにより、電気部品箱８の操作が行いやすくなる。したがって、貯湯タンクユニット１は、施工しやすくなる。
【００３４】
また、凸部１２の突出長さは、接着圧力による凸部１２の変位量より長い。接着圧力は、電気部品箱８の固定に必要な予め定められた大きさの圧力である。凸部１２の変位量は、突出長さの変化から測定することができる。作業者は、試験によって予め測定された凸部１２にかかる圧力と変位量との関係に基づいて、凸部１２の変位量から圧力を測定できる。ここで、両面粘着テープ９の粘着面の接着強度は、粘着面にかけられる圧力によって変化する。このため、作業者は、凸部１２の突出長さから粘着面にかけられる圧力を測定することによって、両面粘着テープ９の粘着面の接着強度を定量的に管理できる。これによって、サービス性が向上する。また、作業者または生産ラインに合わせた数の校正された接着強度または圧力の計測器を用意する必要がない。
【００３５】
また、固定面１３は、筐体４の内側面に平行に設けられる。このため、電気部品箱８は、筐体４に平行になる。これにより、貯湯タンクユニット１は、コンパクトになる。
【００３６】
また、両面粘着テープ９の粘着面は、電気部品箱８の重心Ｇを通る法線Ｎを有する。これにより、電気部品箱８の重心Ｇの周りが固定される。このため、電気部品箱８の回転移動が効果的に抑えられる。したがって、貯湯タンクユニット１の輸送または地震による振動の影響が抑えられる。また、電気部品箱８の自重によるモーメントの凸部１２への影響が抑えられる。
【００３７】
また、電気部品箱８に収納される電気部品は、開放面１１から外側に突出しない。これにより、配管またはポンプから水漏れが発生した場合にも、電気部品が濡れにくい。
【００３８】
なお、保温材３は、一体成型部品により貯湯タンク２を覆うように構成されてもよい。保温材３は、発泡ポリスチレン以上の断熱性能を有する材料で構成された成形断熱材であってもよい。
【００３９】
凸部１２の変位量を測定する測定手段が凸部１２に隣接して設けられてもよい。測定手段は、例えば目盛りである。
【００４０】
貯湯式給湯機は、貯湯タンクユニット１と、図示されない加熱装置と、を一体に備えてもよい。
【００４１】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００４２】
図４は、実施の形態２に係る貯湯式給湯機の要部断面図である。凸部１２は、固定面１３の全体を含む表面に片面粘着テープ１４を有する。片面粘着テープ１４の非粘着面は、凸部１２の外側に向けられる。片面粘着テープ１４は、保護材の例である。両面粘着テープ９は、取付面１０を固定面１３に片面粘着テープ１４を介して固定する。
【００４３】
以上に説明したように、実施の形態２に係る貯湯式給湯機の保温材３は、保温材３の少なくとも一部に片面粘着テープ１４を有する。両面粘着テープ９は、片面粘着テープ１４を介して電気部品箱８を固定する。片面粘着テープ１４により、電気部品箱８が固定される保温材３の部分の強度が向上する。これにより、両面粘着テープ９をはがす場合に、保温材３の損傷を抑えられる。
【００４４】
なお、片面粘着テープ１４は、固定面１３の両面粘着テープ９が粘着する部分にのみ設けられてもよい。保護材は、例えば樹脂材料を塗布するものであってもよい。
【００４５】
実施の形態３．
実施の形態３では、実施の形態１または実施の形態２で開示された例と相違する点について詳しく説明する。実施の形態３で説明しない特徴については、実施の形態１または実施の形態２で開示された例のいずれの特徴が採用されてもよい。
【００４６】
図５は、実施の形態３に係る貯湯式給湯機の前面図である。貯湯タンクユニット１は、支持部１５を備える。支持部１５は、筐体４に設けられる。支持部１５は、電気部品箱８の取付面１０を基準とする並進移動および回転移動を抑えるように支持する。
【００４７】
以上に説明したように、実施の形態２に係る貯湯式給湯機は、支持部１５を備える。支持部１５は、筐体４に設けられる。支持部１５は、電気部品箱８を支持する。このため、電気部品箱８の取付面１０を基準とする並進移動および回転移動が抑えられる。これにより、貯湯タンクユニット１の輸送または地震による振動の影響が抑えられる。また、電気部品箱８の自重によるモーメントの凸部１２への影響が抑えられる。
【００４８】
なお、支持部１５は、保温材３に設けられてもよい。支持部１５は、支持部１５のみで電気部品箱８の自重を支えなくてもよい。
【符号の説明】
【００４９】
１  貯湯タンクユニット、  ２  貯湯タンク、  ３  保温材、  ４  筐体、  ５  貯湯タンク支持脚、  ６  貯湯タンクユニット支持脚、  ７  給湯機器、  ８  電気部品箱、  ９  両面粘着テープ、  １０  取付面、  １１  開放面、  １２  凸部、  １３  固定面、  １４  片面粘着テープ、  １５  支持部
【図１】
2019184198.tif 000003
【図２】
2019184198.tif 000004
【図３】
2019184198.tif 000005
【図４】
2019184198.tif 000006
【図５】
2019184198.tif 000007